(57)【要約】【課題】簡単な構成で、卸売り業者および小売業者ともに商品ラベルあるいは値札についての印字作業および取付け作業が重複せず、特に、小売業者にとって商品へのタグ（下げ札）の表示作業が容易かつ効率的に行える収納容器用ラベルを提供することを課題とする。【解決手段】商品を収納するための収納容器に貼り付ける収納容器用ラベルであって、容器用ラベル片１２と、第１および第２のタグ用ラベル片１４，１６から成る商品用ラベル片１８と、に分割され、第１および第２のタグ用ラベル片１４，１６同士を折り曲げて重合するとともに、容器用ラベル片１２側を収納容器に貼付け、かつ、商品用ラベル片１８を分離可能としたことを特徴とする。【選択図】　　　図１
2004117940.tif 000002
【特許請求の範囲】
【請求項１】
商品を収納するための収納容器に貼り付ける収納容器用ラベルであって、
容器用ラベル片と、
第１および第２のタグ用ラベル片から成る商品用ラベル片と、に分割され、
前記第１および第２のタグ用ラベル片同士を折り曲げて重合するとともに、容器用ラベル片を前記収納容器に貼付け、かつ、商品用ラベル片を分離可能としたことを特徴とする収納容器用ラベル。
【請求項２】
前記容器用ラベル片および商品用ラベル片には、少なくとも前記商品に関する同一の表示情報を備え、かつ、第１および第２のタグ用ラベル片には異なった表示情報をそれぞれ印字してあることを特徴とする請求項１記載の収納容器用ラベル。
【請求項３】
前記容器用ラベル片および商品用ラベル片の第１のタグ用ラベル片並びに第２のタグ用ラベル片は、ミシン目を介して接合してあることを特徴とする請求項１あるいは２記載の収納容器用ラベル。
【請求項４】
少なくとも、前記商品用ラベル片の第１のタグ用ラベル片および第２のタグ用ラベル片には、それぞれラベル片自身を貫通する取付け用貫通孔が形成され、この貫通孔は、前記ミシン目にて第１のタグ用ラベル片および第２のタグ用ラベル片同士を折り曲げて重合した際、重なる位置に貫通されていることを特徴とする請求項１ないし３記載の収納容器用ラベル。
【発明の詳細な説明】
【０００１】
【発明の属する技術分野】
本発明は、収納容器用ラベルに係るもので、特に、靴やハンドバックなどの商品を収納するための収納容器に貼付ける収納容器用ラベルに関する。
【０００２】
【従来の技術】
従来から、商品（または商品を収納した収納容器）に対しバーコードなどが印刷されたラベルを貼り付け・表示することが行われており、このラベルのバーコードをスーパーマーケットのレジに設けられた固定式の光学的読取装置にて読み取らせることにより、短時間に商品の精算ができるようになっている。
ところで、レジにて商品に表示されたラベルのバーコードを読み取らせる際、商品が重かったり、あるいは、かさばったりすると、商品を持ち上げてレジの光学的読取装置でラベルのバーコードを読取ることが困難となるという問題があった。
このため、商品に、同一の表示内容（商品情報）が印刷された第１のバーコード表示部と第２のバーコード表示部を備えたラベルを切り離し可能に設け、前記のように読取りが困難な場合、第２のバーコード表示部を切り離してこれをレジの光学的読取装置に読取らせるようなラベルが提案された（特許文献１参照）。
【０００３】
また、前記のような切り離し可能なラベルは、例えば、靴やハンドバックなどの流通商品に用いられ、卸売り業者が小売店に商品（靴やハンドバック）を納品するにあたり、商品を収納した箱（収納容器）に、商品の内容を表示するため前記ラベル（収納容器用ラベル）を貼り付けるとともに、特に、靴やハンドバックなどにあっては、小売業者が商品を箱から取り出して陳列する際、取り出した商品の表示用ラベルを新たに印字しなくて済むよう、箱に貼り付けられたラベルから、同一の表示内容が印刷されたラベルを切り離し商品に表示するために利用している。そして、前記のように陳列したのち、箱に収納し直す場合、商品と箱とに同一の表示内容が印刷されたラベルが貼り付けられているため、どの箱が商品に対応する正しい箱であるかの判別が容易となるようにされている（特許文献２、特許文献３、特許文献４）。
【０００４】
しかしながら、上記の従来技術（特許文献２，３，４）にあっては、分離可能に設けられたラベルに同一の内容が表示されているので、箱と商品の両方に商品情報が表示でき、かつ、箱に収納し直す場合、商品と箱とを符合させることが容易であるというメリットがある反面、作製がコスト高になるという問題があった。
【０００５】
すなわち、特許文献２にあっては、第１の台紙の他に、積層された第２の台紙を設け、第１の台紙を剥離して粘着層を露呈して全体を箱に貼り付けるとともに、商品に表示するときは分離可能なラベルから第２のラベル片を切り離し、更に第２の台紙を剥がして粘着層を露呈して商品に貼り付けるようになっており、台紙および粘着層の組合せを複数層重ね合せた構成であり、かつ、台紙側（裏側）からの切り込みによる第１の台紙へのミシン目と、ラベル本体側（表側）からの切込みによるラベル本体へのミシン目とをずらして形成するなど、台紙側およびラベル本体側の表裏双方からの切込みを必要とするため、作製工程が複雑でありコスト高になるという問題がある。
【０００６】
また、特許文献３にあっては、ラベル本体を、このラベル本体よりも幅広の剥離台紙に貼着し、中段のラベルに耳片を設け、かつ、耳片の基部にミシン目を設けるようにしたので、特許文献２と同様ラベル本体側（表側）からの切り込みのほか、耳片部の切込みを裏面側から別途行わなければならないなど、作製工程が複雑でありコスト高になるという問題がある。
【０００７】
更に、特許文献４にあっては、ラベルにミシン目および台紙に切断線を設けるなど、表裏双方からの切込みが必要な上、剥離部をラベルより大きめに残すため、ラベルの外形に合せた切込みに加え、このラベルの外形より大き目に台紙に対する切込みも行う必要があるなど、他の従来技術と同様、作製が複雑でありコスト高になるという問題がある。
【０００８】
【特許文献１】特開平３−２８８８号公報
【特許文献２】特開２０００−２９３１０７号公報
【特許文献３】実開平４−２００８０号公報
【特許文献４】特開２０００−３５３２２４号公報
【０００９】
【発明が解決しようとする課題】
本発明は、上記のような問題点に着目してなされたものであって、簡単な構成で、卸売り業者および小売業者ともに商品ラベルあるいは値札についての印字作業および取付け作業が重複せず、特に、小売業者にとって商品へのタグ（下げ札）の表示作業が容易かつ効率的に行える収納容器用ラベルを提供することを課題とする。
【００１０】
【課題を解決するための手段】
上記課題を達成するため、本発明に係る収納容器用ラベルは、商品を収納するための収納容器に貼り付ける収納容器用ラベルであって、容器用ラベル片と、第１および第２のタグ用ラベル片から成る商品用ラベル片と、に分割され、上記第１および第２のタグ用ラベル片同士を折り曲げて重合するとともに、容器用ラベル片を上記収納容器に貼付け、かつ、商品用ラベル片を分離可能としたことを特徴とする。
また、上記容器用ラベル片および商品用ラベル片には、少なくとも上記商品に関する同一の表示情報を備え、かつ、第１および第２のタグ用ラベル片には異なった表示情報をそれぞれ印字するようにできる。
また、上記容器用ラベル片および商品用ラベル片の第１のタグ用ラベル片並びに第２のタグ用ラベル片は、ミシン目を介して接合するようにできる。
更に、少なくとも、上記商品用ラベル片の第１のタグ用ラベル片および第２のタグ用ラベル片には、それぞれラベル片自身を貫通する取付け用貫通孔が形成され、この貫通孔は、上記ミシン目にて第１のタグ用ラベル片および第２のタグ用ラベル片同士を折り曲げて重合した際、重なる位置に貫通されるようにできる。
【００１１】
【発明の実施の形態】
以下、図１ないし図３を参照して、本発明の好適な一実施の形態を説明する。図１は、本発明に係る収納容器用ラベルの平面図であって、一般的にはこれらを連接して帯状とした状態を示している。
図２は、図１のＩＩ−ＩＩ線に沿う断面図である。
なお、以下において、説明の都合上、収納容器用ラベルとしては、靴箱用ラベルを例にとって説明する。
【００１２】
収納容器用ラベル（靴箱用ラベル）２は、台紙４と、台紙４に仮着したラベル本体６と、を有する。特に、図２に示すように、台紙４の表面側には剥離剤層８を形成し、ラベル本体６の裏面には粘着剤層１０を形成してある。
【００１３】
ラベル本体６は、容器用ラベル片１２と、第１および第２のタグ用ラベル片１４、１６から成る商品用ラベル片１８とから構成されている。そして、容器用ラベル片１２および第１のタグ用ラベル片１４の間には第１のミシン目２０が施され、かつ、第１のタグ用ラベル片１４および第２のタグ用ラベル片１６の間には第２のミシン目２２が施されており、この第１および第２のミシン目２０、２２を介して前記各々のラベル片１２、１４、１６が接合された状態で、三分割されている。第１および第２のミシン目２０、２２は、ラベル本体６側から台紙４に至る手前の粘着剤層１０まで切り込まれている。
また、前記第１および第２のタグ用ラベル片１４、１６の適宜位置には、貫通孔３０があけられており、この貫通孔３０は商品用ラベル片１８を後述するタグと称する「下げ札」として商品表示用に使用する際、糸やナイロンピンを挿通するための孔である。
【００１４】
容器用ラベル片１２並びに第１および第２のタグ用ラベル片１４，１６の印字面には、商品情報印字領域２４、価格印字領域２６およびバーコード印字領域２８などを設けて、それぞれ所定表示内容の情報を印字する。
商品情報印字領域２４は、商品についての各種情報を印字するもので、たとえば、メーカーの品番、商品の色やサイズなどを印字する。
バーコード印字領域２８には、通常のＪＡＮコードあるいは任意のコードを採用可能であり、商品番号やメーカー番号その他任意の情報を印字する。
図１の例示では、容器用ラベル片１２並びに第１および第２のタグ用ラベル片１４，１６は同一のレイアウトで印字しているが、任意のレイアウトで任意の表示内容を印字可能である。ただし、容器用ラベル片１２および商品用ラベル片１８には、少なくとも商品情報印字領域２４およびバーコード印字領域２８につき同一表示内容の情報を印字するものとする。
また、価格印字領域２６は、商品用ラベル片１８の第１または第２のタグ用ラベル片１４，１６の、少なくとも一方のみに設けるようにし、他方にはメーカーのロゴやシンボルマークなどを表示してもよい。
【００１５】
次に、こうした構成の収納容器用ラベル２の使用状態を説明する。
先ず、図１に示したように、必要な表示内容を商品情報印字領域２４、価格印字領域２６およびバーコード印字領域２８に印字したのち、台紙４からラベル本体６を剥離し、図３に示すように、第２のミシン目２２に沿って折り曲げて第１および第２のタグ用ラベル片１４，１６を重合するとともに、裏面の粘着剤層１０が露呈したままの容器用ラベル片１２側を収納容器（靴箱）３２の側面に貼付ける。第１および第２のタグ用ラベル片１４，１６の接合部分に第２のミシン目２２を設けたことにより、タグ用ラベル片１４，１６同士の重合時の折り曲げを容易とすることができる。また、重合された状態で、タグ用ラベル片１４，１６に設けられた取付け用貫通孔３０も重なり合って貫通状態になる。
重合された第１および第２のタグ用ラベル片１４，１６（商品用ラベル片１８）側は、粘着剤層１０同士が貼り合わされて商品用ラベル片１８側がタグ（下げ札）状に形成される。そして、ラベル本体６は、容器用ラベル片１２側が収納容器（靴箱）３２に貼り付けられ、商品用ラベル片１８側は収納容器３２に対し非接着状態で表示される。この状態で卸売り業者は小売業者に納品する。
【００１６】
次いで、小売業者において陳列する際、商品（靴）３４を収納容器（靴箱）３２から取出すとともに、靴箱３２に貼付け・表示してあるラベル本体６から商品用ラベル片１８を、第１のミシン目２０より切り離し、貫通孔３０に合成樹脂製の取付けピンあるいは糸などの取付け具３６を通して下げ札Ｔを作製し靴３４に取付け・表示する。
【００１７】
上述したように、小売業者は収納容器３２より商品用ラベル片１８を下げ札Ｔとして分離・切り離し商品３４にこれを表示することができ、表示情報に間違いがないとともに、小売業者の便に供することができる。
また、分離作業の際、容器用ラベル片１２側が収納容器３２の側面に粘着剤層１０により貼り付いており、かつ、商品用ラベル片１８側が収納容器３２に対し非接着状態で表示されているので、容器商品用ラベル片１６と商品用ラベル片１８とが第１のミシン目２０部分で容易に分離できる。
【００１８】
また、第１および第２のタグ用ラベル片１４，１６の粘着剤層１０同士を介して重合した商品用ラベル片１８側を下げ札Ｔとして使用するので、ラベル本体６の材質が薄いものであっても、１枚で表示する場合に比べ腰の強い丈夫な下げ札Ｔが形成される。
【００１９】
また、第１および第２のタグ用ラベル片１４，１６（商品用ラベル片１８）側が下げ札Ｔとして分離されたあとの収納容器３２には容器用ラベル片１２が残っているのみであり、商品用ラベル片１８が存在しない収納容器３２には商品（靴）３４が入っていないと見做せるため、バックヤードで何段にも重なって保管されている収納容器３２を取り出して開けてみるまでもなく、陳列のため中身がないことが確認できる。従って、収納容器３２から商品を取り出して陳列するようなハンドバック、帽子などに特に有効である。
【００２０】
更に、小売業者においてはその棚卸作業時に、陳列されている商品（靴）３４、およびバックヤードでの容器用ラベル片１２のみが貼り付けられている収納容器３２、並びに容器用ラベル片１２および商品用ラベル片１８側の双方が貼付け・表示されている収納容器３２のバーコード印字領域２８におけるバーコードを任意のスキャナ（図示省略）によりそれぞれ読取ることにより、在庫管理を行うことができる。
【００２１】
なお、上記の実施の形態において、ラベル本体６から台紙４を剥離したのち第１および第２のタグ用ラベル片１４，１６（商品用ラベル片１８）を重合する例で説明したが、これに限定されないことは勿論であり、台紙４からラベル本体６を剥離する際、商品用ラベル片１８側のみを第１のミシン目２０部分まで剥離し、ミシン目２０に沿って容器用ラベル片１２側に一旦折り曲げ、今度は第２のミシン目２２に沿って第２のタグ用ラベル片１６を第１のタグ用ラベル片１４側に折り曲げながら重合すれば、容器用ラベル片１２上で支持された安定した状態での折り曲げ・重合が図れるため、作業が容易となる。
【００２２】
図４は、本発明の第２の実施の形態による収納容器用ラベル４２の平面図であり、図５は、図４中、矢示ＩＶ−ＩＶ線に沿う断面図である。
なお、先の実施の形態と同様の部分には同一の符号を付すに止め、詳説を省略する。
【００２３】
収納容器用ラベル４２は、台紙を有さない、いわゆる「台紙なしラベル」と称されるもので、主に、上質紙やコート紙等の紙材、ＰＥＴ（ペット）フィルム等のフィルム、合成紙、サーマル紙等で作製されたラベル基材４４と、このラベル基材４４の表面にシリコーン等の剥離剤が塗布された剥離剤層４６と、ラベル基材４４の裏面に粘着剤が塗布された粘着剤層４８とを備えている。そして、長手方向の所望位置に施された切断用のミシン目５０により一枚のラベル本体５２に切り離せるようになっている。
【００２４】
ラベル本体５２は、容器用ラベル片５４と、第１および第２のタグ用ラベル片５６、５８から成る商品用ラベル片６０とから構成されている。そして、容器用ラベル片５４および第１のタグ用ラベル片５６の間には第１のミシン目６２が施され、かつ、第１のタグ用ラベル片５６および第２のタグ用ラベル片５８の間には第２のミシン目６４が施されており、この第１および第２のミシン目６２、６４を介して前記各々のラベル片５４、５６、５８が接合された状態で、三分割されている。
また、前記第１及び第２のタグ用ラベル片５６、５８の適宜位置には、貫通孔３０があけられている。
【００２５】
容器用ラベル片５４には、商品情報印字領域２４、バーコード印字領域２８、サイズ情報領域６６や価格印字領域２６などを設けて、それぞれ所定表示内容の情報を印字する。
【００２６】
第１のタグ用ラベル片５６には、商品情報印字領域２４、価格印字領域２６およびバーコード印字領域２８などを設けて、それぞれ所定表示内容の情報を印字する。
【００２７】
第２のタグ用ラベル片５８には、メーカーのロゴやシンボルマーク６８および品質内容説明７０などを表示する。
【００２８】
次に、こうした構成の収納容器用ラベル４２の使用状態を説明する。
切断用のミシン目５０に沿って１枚分のラベル本体５２を切り離し、第２のミシン目６４に沿って第１および第２のタグ用ラベル片５６、５８を折り曲げて重合するとともに、裏面の粘着剤層４８が露呈したままの容器用ラベル片５４側を収納容器（靴箱）３２の側面に貼付ける。第１および第２のタグ用ラベル片５６、５８の接合部分に第２のミシン目６４を設けたことにより、タグ用ラベル片５６、５８同士の重合を容易とすることができる。また、重合された状態で、タグ用ラベル片５６，５８に設けられた取付け用貫通孔３０も重なり合って貫通状態になる。
【００２９】
重合された第１および第２のタグ用ラベル片５６、５８（商品用ラベル片６０）側は、粘着剤層４８同士が貼り合わされて商品用ラベル片６０側がタグ状に形成される。そして、ラベル本体５２は、粘着剤層４８が露呈している容器用ラベル片５４側が収納容器（靴箱）３２に貼付けられ、商品用ラベル片６０側は収納容器３２に対し非接着状態で表示される。
【００３０】
次いで、小売業者において陳列する際、商品（靴）３４を収納容器（靴箱）３２から取出すとともに、靴箱３２に貼付け・表示してあるラベル本体５２から商品用ラベル片６０を、第１のミシン目６２より切り離し、貫通孔３０に合成樹脂製の取付けピンあるいは糸などの取付け具３６を通して下げ札Ｔを作製し靴３４に取付け・表示する。
【００３１】
先の実施の形態に比べ、台紙を不要とした分、環境にやさしい収納容器用ラベル４２が提供できる。
また、「ラベル」であるためラベルプリンタ（図示省略）などを用いて第１および第２のタグ用ラベル片５６、５８に各々異なった内容の情報を表面側から１回で印字・表示させることができ、しかも、「ラベル」でありながら第１および第２のタグ用ラベル片５６、５８を重合して下げ札Ｔとして使用できるので、従来の「下げ札」に印刷（印字）を行う際の両面印刷（印字）の必要がなく、更に、第１および第２のタグ用ラベル片５６、５８に各々異なった内容の情報を表示することで、多くの情報が表示できるものである。
その他の構成、作用、効果は、先の実施の形態とほぼ同様につき、詳説を省略する。
【００３２】
図６は、本発明の第３の実施の形態による収納容器用ラベル７２の平面図であり、図７は、図６中、矢示ＶＩＩ−ＶＩＩ線に沿う断面図である。
なお、先の実施の形態と同様の部分には同一の符号を付すに止め、詳説を省略する。
【００３３】
収納容器用ラベル７２は、表面に剥離剤層８が形成された台紙４と、台紙４に仮着したラベル本体７４と、を有し、ラベル本体７４の裏面には粘着剤層１０を形成してある。
ラベル本体７４は、容器用ラベル片７６と、商品用ラベル片７８とから成る。容器用ラベル片７６と商品用ラベル片７８との間には、第１のミシン目８０が施されている。
【００３４】
商品用ラベル片７８は、第１のタグ用ラベル片８２と、第２のタグ用ラベル片８４と、タグ貼付け用ラベル片８６とから成り、第１および第２のタグ用ラベル片８２、８４並びにタグ貼付け用ラベル片８６の各々の間には、第２のミシン目８８および第３のミシン目９０が施されており、前記第２のミシン目８８と、第３および第１のミシン目９０、８０を介して前記各々のラベル片８２、８４，８６、７６が接合された状態で四分割されている。第１及び第２並びに第３のミシン目８０、８８、９０は、ラベル本体７４側から台紙４に至る手前の粘着剤層１０まで切り込まれている。また、第１および第２のタグ用ラベル片８２、８４の適宜位置には、貫通孔３０があけられている。
【００３５】
台紙４には、前記ラベル本体７４側の第１のミシン目８０に対応する位置に、切断線９２が施されており、この切断線９２に沿って台紙４を剥離すると、容器用ラベル片７６裏面の粘着剤層１０が露呈するようになっている。
【００３６】
図示は省略してあるが、容器用ラベル片７６と商品用ラベル片７８とには、商品情報印字領域２４、バーコード印字領域２８、サイズ情報領域６６や価格印字領域２６などを設けて、それぞれ所定表示内容の情報を印字するが、少なくとも第１および第２のタグ用ラベル片８２、８４のいずれか一方と、容器用ラベル片７６には、商品情報印字領域２４およびバーコード印字領域２８につき同一表示内容の情報を印字するものとする。
【００３７】
本実施の形態の特徴は、商品用ラベル片７８に、第１のタグ用ラベル片８２および第２のタグ用ラベル片８４のほか、タグ貼付け用ラベル片８６を設けた点にある。ここには、後述する用途である「折り曲げ部」と印刷しておくと分かりやすくて良い。
【００３８】
上記構成の収納容器用ラベル７２の使用状態を説明する。
卸売り業者から小売業者に商品を送るにあたって、切断線９２に沿って容器用ラベル片７６側の台紙４を剥がし、粘着剤層１０を介して収納容器３２にラベル本体７４を貼付する。
【００３９】
小売業者は商品を陳列するにあたって、収納容器３２に貼り付けられているラベル本体７４の商品用ラベル片７８側を第３のミシン目９０に沿って容器用ラベル片７６側に折り曲げ、次いで、第２のミシン目８８に沿って折り曲げて第１および第２のタグ用ラベル片８２、８４を重合してタグ状に形成し、タグ貼付け用ラベル片８６とともに下げ札Ｔとして第１のミシン目８０より分離する。
【００４０】
紳士靴やスニーカーのように紐が付いている商品（靴）３４に対しては、不用なタグ貼付け用ラベル片８６を第３のミシン目９０から分離した上、貫通孔３０に紐を通して表示するか、あるいは、貫通孔３０に取付け具３６を付けて下げ札Ｔとして表示する。
【００４１】
紐を有しない種類が多い婦人靴などに表示する場合は、タグ貼付け用ラベル片８６の粘着剤層１０を介して靴底に貼付け・表示するか、あるいは、タグ貼付け用ラベル片８６を第３のミシン目９０に沿って折り曲げ、靴のへりに掛けて下げ札Ｔとして表示する。タグ貼付け用ラベル片８６の裏面に粘着剤層１０が露呈しているため、靴のへりに掛けたとしても外れる心配がない。
なお、粘着剤層１０により商品が汚れることを嫌う場合は、第３のミシン目９０に対応する台紙４部分に「切断線」を施し、第１及び第２のタグ用ラベル片８２、８４を重合してタグ状を形成したあともタグ貼付け用ラベル片８６部分の台紙４を残すようにしてもよい。
【００４２】
先の実施の形態に比べ、タグ貼付け用ラベル片８６を設けたことにより、糸などの取付け具３６を通しにくく下げ札として使用しがたいような種類の商品（例えば帽子など）に対しても表示可能な収納容器用ラベル７２が提供できる。
その他の構成、作用、効果は、先の実施の形態とほぼ同様につき、詳説を省略する。
【００４３】
なお、上記実施の形態として、第１および第２のタグ用ラベル片を重合する際、折り曲げ易くするために折り曲げ部分には第２のミシン目を設けた例で説明したが、これに限定されないことは勿論であり、型押しあるいはハーフカットでも構わない。
【００４４】
【発明の効果】
この発明に係る収納容器用ラベルは、以上説明したように、商品用ラベル片の第１および第２のタグ用ラベル片を折り曲げて重合するとともに、容器用ラベル片を収納容器に貼り付け、かつ、商品用ラベル片を分離可能としたので、下げ札を別途作らなくとも、ラベルで作成した割には腰の強い商品用ラベル片を下げ札として表示できるという効果がある。
【００４５】
上述の効果に加え、第１および第２のタグ用ラベル片に異なった表示情報を印字したので、多くの情報が表示できるという効果がある。
【図面の簡単な説明】
【図１】本発明の第１の実施の形態に係る収納容器用ラベルの平面図である。
【図２】同、図１中、矢示ＩＩ−ＩＩ線に沿う概略断面図である。
【図３】同、収納容器の側面に収納容器用ラベルを貼り付ける状態、および商品用ラベル片を下げ札として商品に取付けた状態を示す斜視図である。
【図４】本発明の第２の実施の形態に係る収納容器用ラベルの平面図である。
【図５】同、図４中、矢示Ｖ−Ｖ線に沿う概略断面図である。
【図６】本発明の第３の実施の形態に係る収納容器用ラベルの平面図である。
【図７】同、図６中、矢示ＶＩＩ−ＶＩＩ線に沿う概略断面図である。
【符号の説明】
Ｔ　タグ（下げ札）
２　収納容器用ラベル（第１の実施の形態）
６　ラベル本体
１２　容器用ラベル片
１４　第１のタグ用ラベル片
１６　第２のタグ用ラベル片
１８　商品用ラベル片
２０　第１のミシン目
２２　第２のミシン目
３２　収納容器（靴箱）
３４　商品（靴）
４２　収納容器用ラベル（第２の実施の形態）
５２　ラベル本体
５４　容器用ラベル片
５６　第１のタグ用ラベル片
５８　第２のタグ用ラベル片
６０　商品用ラベル片
７２　収納容器用ラベル（第３の実施の形態）
７４　ラベル本体
７６　容器用ラベル片
７８　商品用ラベル片
８２　第１のタグ用ラベル片
８４　第２のタグ用ラベル片
８６　タグ貼付け用ラベル片
【図１】
2004117940.tif 000003
【図２】
2004117940.tif 000004
【図３】
2004117940.tif 000005
【図４】
2004117940.tif 000006
【図５】
2004117940.tif 000007
【図６】
2004117940.tif 000008
【図７】
2004117940.tif 000009